(57)【要約】【課題】印刷装置の型式、視覚者の年代、文字サイズを総合的に考慮して色変換をするカラー画像変換装置を提供する。【解決手段】印刷装置の特性と視覚主体者の年代に応じてカラー画像に含まれる一部の色を他の色に変換する手段、第１色変換処理をされたカラー画像に含まれる文字列領域から文字色、背景色及び文字サイズの組を抽出する手段、視覚主体者の年代と文字サイズに依存する第１種の評価関数の値を求め、文字列領域について文字色と背景色との間の色差と視覚対象者の年代と印刷装置の特性に依存する第２種の評価関数の値を求める手段、文字列領域について求められた第２種の評価関数の値の大小を、第１種の評価関数の値を基準として判定し、大小により各々の文字列領域における文字の読み難さを判別する手段、読み難さに応じて文字列領域に対してより読み易くなるような第２の色変換処理を行う手段を備える。【選択図】図１
2017028395.tif 000002
【特許請求の範囲】
【請求項１】
カラー画像を他のカラー画像に変換するためのカラー画像変換装置であって、
印刷装置の特性と視覚主体者の年代とに応じてカラー画像に含まれる各色のうちの少なくとも一部の色を他の色に変換するための第１の色変換処理を行う第１の色変換手段と、
前記色変換手段により前記第１の色変換処理をされたカラー画像に含まれる１つ以上の文字列領域の各々から文字色、背景色及び文字サイズの組を抽出する抽出手段と、
前記視覚主体者の年代と文字サイズに依存する第１種の評価関数の値を求め、各々の文字列領域について、前記文字色と前記背景色との間の色差と前記視覚対象者の年代と印刷装置の特性に依存する第２種の評価関数の値を求める評価関数手段と、
各々の前記文字列領域について求められた前記第２種の評価関数の値の大小を、前記第１種の評価関数の値を基準として判定し、この大小により各々の前記文字列領域における文字の読み易さ／読み難さを判別する判別手段と、
前記判別手段により判別された読み易さ／読み難さに応じて、少なくとも１つの前記文字列領域に対して、より読み易くなるような第２の色変換処理を行う第２の色変換手段と、
を備えることを特徴とするカラー画像変換装置。
【請求項２】
請求項１に記載のカラー画像変換装置であって、
前記第２の色変換処理とは、実際に前記第１の色変換処理により色変換されたか否かにかかわらず、前記第１の色変換処理にかけられた後の文字列領域に含まれる文字色及び背景色のうちの一方又は双方を、前記第１の色変換処理にかけられる前又は後のカラー画像を基にして、他の色に変更する処理であることを特徴とするカラー画像変換装置。
【請求項３】
請求項１又は２に記載のカラー画像変換装置であって、
前記判別手段による判別の結果をユーザのために表示する表示手段と、
前記結果の表示を見た前記ユーザによる操作を入力するユーザ操作入力手段と、
を更に備え、
前記第２の色変換手段は、前記結果の表示を見た前記ユーザによる操作に基づいて、前記第２の色変換処理を行うことを特徴とするカラー画像変換装置。
【請求項４】
請求項３に記載のカラー画像変換装置であって、
前記表示手段は、判別の結果に対応した第２の色変換処理の候補も表示し、
前記ユーザ操作入力手段は、前記第２の色変換処理の候補のうちの何れかの第２の色変換処理を前記第２の色変換手段に行わせるための操作を入力することを特徴とするカラー画像変換装置。
【請求項５】
請求項１乃至４の何れか１項に記載のカラー画像変換装置であって、
色覚異常者の視覚特性を考慮して、前記第１の色変換処理を行うこと、
前記色覚異常者の視覚特性を考慮して、前記第１種の評価関数の値を求めること、及び
前記色覚異常者の視覚特性を考慮して、前記第２種の評価関数の値を求めること、
のうちの少なくとも何れか１つを行うことを特徴とするカラー画像変換装置。
【請求項６】
請求項１乃至５に記載のカラー画像変換装置であって、
前記第１の色変換手段により第１の色変換処理をされ、更に、前記第２の色変換手段により第２の色変換処理をされたカラー画像を記録媒体に書き込み、又は、前記印刷装置に印刷のために出力する出力手段を更に備えることを特徴とするカラー画像変換装置。
【請求項７】
カラー画像を他のカラー画像に変換するためのカラー画像変換方法であって、
印刷装置の特性と視覚主体者の年代とに応じてカラー画像に含まれる各色のうちの少なくとも一部の色を他の色に変換するための第１の色変換処理を行う第１の色変換ステップと、
前記色変換手段により前記第１の色変換処理をされたカラー画像に含まれる１つ以上の文字列領域の各々から文字色、背景色及び文字サイズの組を抽出する抽出ステップと、
前記視覚主体者の年代と文字サイズに依存する第１種の評価関数の値を求め、各々の文字列領域について、前記文字色と前記背景色との間の色差と前記視覚対象者の年代と印刷装置の特性に依存する第２種の評価関数の値を求める評価関数ステップと、
各々の前記文字列領域について求められた前記第２種の評価関数の値の大小を、前記第１種の評価関数の値を基準として判定し、この大小により各々の前記文字列領域における文字の読み易さ／読み難さを判別する判別ステップと、
前記判別手段により判別された読み易さ／読み難さに応じて、少なくとも１つの前記文字列領域に対して、より読み易くなるような第２の色変換処理を行う第２の色変換ステップと、
を備えることを特徴とするカラー画像変換方法。
【請求項８】
請求項７に記載のカラー画像変換方法であって、
前記第２の色変換処理とは、実際に前記第１の色変換処理により色変換されたか否かにかかわらず、前記第１の色変換処理にかけられた後の文字列領域に含まれる文字色及び背景色のうちの一方又は双方を、前記第１の色変換処理にかけられる前又は後のカラー画像を基にして、他の色に変更する処理であることを特徴とするカラー画像変換方法。
【請求項９】
請求項７又は８に記載のカラー画像変換方法であって、
前記判別ステップによる判別の結果をユーザのために表示する表示ステップと、
前記結果の表示を見た前記ユーザによる操作を入力するユーザ操作入力ステップと、
を更に備え、
前記第２の色変換ステップは、前記結果の表示を見た前記ユーザによる操作に基づいて、前記第２の色変換処理を行うことを特徴とするカラー画像変換方法。
【請求項１０】
請求項９に記載のカラー画像変換方法であって、
前記表示ステップは、判別の結果に対応した第２の色変換処理の候補も表示し、
前記ユーザ操作入力ステップは、前記第２の色変換処理の候補のうちの何れかの第２の色変換処理を前記第２の色変換ステップに行わせるための操作を入力することを特徴とするカラー画像変換方法。
【請求項１１】
請求項７乃至１０の何れか１項に記載のカラー画像変換方法であって、
色覚異常者の視覚特性を考慮して、前記第１の色変換処理を行うこと、
前記色覚異常者の視覚特性を考慮して、前記第１種の評価関数の値を求めること、及び
前記色覚異常者の視覚特性を考慮して、前記第２種の評価関数の値を求めること、
のうちの少なくとも何れか１つを行うことを特徴とするカラー画像変換方法。
【請求項１２】
請求項７乃至１１に記載のカラー画像変換方法であって、
前記第１の色変換ステップにより第１の色変換処理をされ、更に、前記第２の色変換ステップにより第２の色変換処理をされたカラー画像を記録媒体に書き込み、又は、前記印刷装置に印刷のために出力する出力ステップを更に備えることを特徴とするカラー画像変換方法。
【請求項１３】
請求項７乃至１２の何れか１項に記載のカラー画像変換方法をコンピュータに行わせるためのカラー画像変換用プログラム。
【発明の詳細な説明】
【技術分野】
【０００１】
本発明は、カラー画像に含まれる少なくとも一部のカラーを変換するためのカラー画像変換装置及びカラー画像変換方法に関し、特に、カラー画像に含まれる少なくとも一部のカラーを印刷装置による印刷に合わせて変換するためのカラー画像変換装置及びカラー画像変換方法に関する。
【背景技術】
【０００２】
一般に、所定の目的に応じて、カラー画像に含まれる少なくとも一部のカラーを変換することが行われている。
【０００３】
例えば、特許文献１には、色覚異常者がカラー画像を視覚することを容易にすることを所定の目的とした色変換装置として、入力した画像の色変換装置であって、入力したカラー画像の各画素の色情報の配色組み合わせを検索し、その配色組み合わせが、色覚異常者にとって混同しやすいか否かを決定するための決定手段と、その決定手段において、混同しやすいと決定された配色組み合わせについては色覚異常者の認識色空間内での色の差で表す混同度と、色変換後と変換前の色の差であらわす変更度との和により構成される評価関数が最小となるように当該配色組み合わせの画素の色情報を変換する手段とを有することを特徴とする色変換装置が開示されている。
【先行技術文献】
【特許文献】
【０００４】
【特許文献１】特開２００５−１７３６３４号公報
【非特許文献】
【０００５】
【非特許文献１】「有彩色背景上に表示された有彩色文章の可読性の定量化」原口健、岡嶋克典、鈴木敬明著、映像情報メディア学会誌、Vol, 73, No. 3 (2009), pp. 323-330
【発明の概要】
【発明が解決しようとする課題】
【０００６】
ところで、人は、加齢に伴い目の中の水晶体の透過率が低下すると共に水晶体黄化が進み、特に青色（短波長光）の光が見にくくなっていくという傾向がある。
【０００７】
それに配慮して見やすい視覚表示物を設計するために制定されたのがJIS S0031:2013 (ISO 24502:2010)である。これは、１０〜７９歳の年代別分光視感効率を用いて、照明又は視覚表示物のデザインで使用される輝度コントラストを年代別に計算する方法について規定している。
【０００８】
また、文字色と背景色による文章の読みやすさは、色の組合せやそれを見ている人の年代の他に、文字サイズも影響することが知られている（非特許文献１参照）。
【０００９】
ところが、特許文献１では、画像の色を変換する際に、色覚異常者の色覚を考慮するが、対象としている人物の年代を考慮していない。従って、同じ色覚異常者であっても、年代によっては、見やすい色の画像を生成することができるとは限らない。
【００１０】
また、特許文献１では、画像の色を変換する際に、色覚異常者の色覚を考慮するが、文字サイズを考慮していない。従って、同じ色覚異常者が同じように色が変換された画像を見る場合であっても、文字サイズによっては、見にくくなる場合が生じてしまう。
【００１１】
また、同じカラー画像データを基に、画像表示装置で表示したカラー画像と、印刷装置で印刷したカラー画像とは、色合いが異なる。ユーザが画面で色合いを確認したカラー画像と同様な色合いを持つカラー画像を印刷するために、カラー画像のカラーを変換することが行われている。
【００１２】
特許文献１では、カラー画像の出力先である印刷装置（印刷機やプリンタ等）の色再現領域を考慮していない。そのため、画面上では見やすいと判断されても、実際にカラー画像を印刷すると使用したインキの特性等により画面上とは違う色で再現され、その結果見にくいと判断される可能性がある。
【００１３】
そこで、本発明は、印刷装置の型式と、視覚者の年代と、文字サイズとを総合的に考慮して色変換をするようなカラー画像変換装置及びカラー画像変換方法を提供することを目的とする。
【００１４】
また、本発明は、印刷装置の型式と、視覚者の年代と、文字サイズと、色覚異常者の視覚特性を総合的に考慮して色変換をするようなカラー画像変換装置及びカラー画像変換方法を提供することを他の目的とする。
【課題を解決するための手段】
【００１５】
本発明によれば、カラー画像を他のカラー画像に変換するためのカラー画像変換装置であって、印刷装置の特性と視覚主体者の年代とに応じてカラー画像に含まれる各色のうちの少なくとも一部の色を他の色に変換するための第１の色変換処理を行う第１の色変換手段と、前記色変換手段により前記第１の色変換処理をされたカラー画像に含まれる１つ以上の文字列領域の各々から文字色、背景色及び文字サイズの組を抽出する抽出手段と、前記視覚主体者の年代と文字サイズに依存する第１種の評価関数の値を求め、各々の文字列領域について、前記文字色と前記背景色との間の色差と前記視覚対象者の年代と印刷装置の特性に依存する第２種の評価関数の値を求める評価関数手段と、各々の前記文字列領域について求められた前記第２種の評価関数の値の大小を、前記第１種の評価関数の値を基準として判定し、この大小により各々の前記文字列領域における文字の読み易さ／読み難さを判別する判別手段と、前記判別手段により判別された読み易さ／読み難さに応じて、少なくとも１つの前記文字列領域に対して、より読み易くなるような第２の色変換処理を行う第２の色変換手段と、を備えることを特徴とするカラー画像変換装置が提供される。
【００１６】
また、本発明によれば、カラー画像を他のカラー画像に変換するためのカラー画像変換方法であって、印刷装置の特性と視覚主体者の年代とに応じてカラー画像に含まれる各色のうちの少なくとも一部の色を他の色に変換するための第１の色変換処理を行う第１の色変換ステップと、前記色変換手段により前記第１の色変換処理をされたカラー画像に含まれる１つ以上の文字列領域の各々から文字色、背景色及び文字サイズの組を抽出する抽出ステップと、前記視覚主体者の年代と文字サイズに依存する第１種の評価関数の値を求め、各々の文字列領域について、前記文字色と前記背景色との間の色差と前記視覚対象者の年代と印刷装置の特性に依存する第２種の評価関数の値を求める評価関数ステップと、各々の前記文字列領域について求められた前記第２種の評価関数の値の大小を、前記第１種の評価関数の値を基準として判定し、この大小により各々の前記文字列領域における文字の読み易さ／読み難さを判別する判別ステップと、前記判別手段により判別された読み易さ／読み難さに応じて、少なくとも１つの前記文字列領域に対して、より読み易くなるような第２の色変換処理を行う第２の色変換ステップと、を備えることを特徴とするカラー画像変換方法が提供される。
【００１７】
更に、本発明によれば、上記のカラー画像変換方法をコンピュータに行わせるためのカラー画像変換用プログラムが提供される。
【発明の効果】
【００１８】
本発明によれば、印刷装置の型式と、視覚者の年代と、文字サイズとを総合的に考慮して色変換をすることができる。
【００１９】
また、本発明によれば、印刷装置の型式と、視覚者の年代と、文字サイズと、色覚異常者の視覚特性を総合的に考慮して色変換をすることができる。
【図面の簡単な説明】
【００２０】
【図１】本発明の実施形態によるカラー画像変換装置の構成を示す機能ブロック図である。
【図２】本発明の実施形態で用いる評価関数を表すグラフである。
【図３】本発明の実施形態により変換前の文字領域と共に表示される第２の色変換処理の複数の候補を示す図である。
【図４】本発明の実施形態によるカラー画像変換装置で行われるカラー画像変換方法を説明するためのフローチャートである。
【発明を実施するための形態】
【００２１】
以下、図面を参照して本発明を実施するための形態について詳細に説明する。
【００２２】
［第１の実施の形態］
本発明による実施形態は、カラー文書を出力する印刷装置（印刷機やプリンタ等）の色再現領域に合わせて色変換を行い、変換後のカラー文書に含まれている文字色・背景色の組合せについて、カラー文書が対象としている視覚主体者である人物の年代、文字・背景の色情報と文字サイズ情報を基に、読みにくい色組合せと判断された場合に読みやすくなるような色の組合せに変更するための色情報を提供する装置及びプログラムに関する。
【００２３】
読みやすいか否かを判断する基準としては、文字色・背景色・文字サイズの組合せによる読書評価結果に基づく評価関数を使用する。
【００２４】
本発明の実施形態の詳細な説明をする前に、まず、本発明の実施形態の基礎となる原理を動作を交えて説明する。
・カラー文書を読み込む。
・出力機の型式・想定している視覚主体者の年代をパラメータとして色変換されたカラー文書より、文字の色情報、背景の色情報、文字サイズを取得する。
・事前に実施された、年代及び様々な文字・背景の色組合せでのMNREAD-Jによる読書評価結果より導き出した評価関数を利用して、色組合せによる読みやすさを判断する。
【００２５】
・MNREADは、文章の読み速度を測り、速く正確に読めたものを読みやすいとする読速度法をMansfield, Legge, & Bane(1996)が発展させた方法であり、文字サイズと読速度から得た読書速度関数から、読みやすさを測定する手法である。MNREAD法は、刺激となる文章を1文章ごとに充分に大きい文字サイズから段階的に小さくして提示し、実験協力者にできるだけ速く正確に音読させ、文字サイズごとの読速度を求めることによって、読みやすさ・読みにくさを３つの測度で表すことができる。即ち、ぎりぎり読める文字サイズ＝読材料の文字の正答率が５０％となる文字サイズを示す読書視力(Reading Acuity, 以下、ＲＡ, 単位はlogMAR)、最大読書速度を維持できる最小の文字サイズを意味し、読書速度が最大読書速度の標準偏差の２倍を越えて小さくなる直前の文字サイズを示す臨界文字サイズ (Critical Print Size, 以下、ＣＰＳ、単位は、logMAR)、文字サイズが十分に大きい場合の読書速度を意味し、ＣＰＳよりも大きい文字サイズの読書速度の平均値である最大読書速度(Maximum Reading Speed, 以下、MRS, 単位は char/min)によって読みやすさ・読みにくさが数値化される。紙媒体のMNREADの日本語版(以下、MNREAD-J)を小田・Mansfield・ Legge(1998)が開発し、これを小田・西村(2002)が電子化、パーソナルコンピュータ上で制御する読書 評価プログラムpcMNREAD-J を開発した。
【００２６】
・以下に、年代毎にMNREAD-Jによる読書評価結果より導き出した関数及びその係数について説明する。
【００２７】
・ある文字・背景の色組合せの色差をＣ（δ）とする（色差はどのような色空間でも可）。
【００２８】
・Ｃ（δ）と、読書評価結果から得られたＣＰＳの関係は以下の式で表される。
【００２９】
【数１】
2017028395.tif 000003
・Ａ（年代）はＣＰＳの対数とＣ（δ）の対数の関係を直線で表した時の傾きであり、視覚主体者の年代によって変化する。
【００３０】
・Ｂ（年代）はＣＰＳの対数とＣ（δ）の対数の関係を直線で表した時の切片の一部であり、視覚主体者の年代によって変化する。
【００３１】
・Ｄ（年代）は、MNREAD-Jによる読書評価の結果を曲線にフィッティングした際の傾きである。Ｄ（年代）は、視覚主体者の年代によって変化する。
【００３２】
・１．０９７という数値は読書評価結果を曲線にフィッティングした際の、視覚主体者の年代によらない係数である。
【００３３】
・ＣＰＳ（ＭＡＲ）は単位がＭＡＲであるため、視距離を３０ｃｍとしてカラー文書から取得した文字サイズ：P（単位：point）を用いると、
【００３４】
【数２】
2017028395.tif 000004
となる。
【００３５】
・式（１）及び式（２）を用いると、以下の式が得られる。
【００３６】
【数３】
2017028395.tif 000005
・ＣＰＳはつまり、最大読書速度を維持できる最小の文字サイズであるため、上記の式で、ある文字サイズ（＝Ｐ）の時にギリギリ最大読書速度を維持できる色差：Ｃ（δ）が得られる。
【００３７】
・次に、カラー文書から取得した文字の色情報と背景の色情報より、Ｃ（年代）を求める。
【００３８】
・Ｃ（年代）は、視覚主体者の年代をパラメータとした文字・背景の色組合せの色差である。
【００３９】
・例えばカラー文書がＣＭＹＫの色域だった場合、文字色のＣＭＹＫ各濃度の値を（Ｃ１、Ｍ１、Ｙ１、Ｋ１）、背景色のＣＭＹＫ濃度の値を（Ｃ２、Ｍ２、Ｙ２、Ｋ２）とした場合、Ｃ（年代）は以下の計算式で求められる。
【００４０】
【数４】
2017028395.tif 000006
【００４１】
【数５】
2017028395.tif 000007
【００４２】
【数６】
2017028395.tif 000008
・a1〜p1は見る人の年齢と印刷装置などの出力装置の型式によって異なる定数である。
【００４３】
・各色濃度が０％の場合、任意の年代によって見た紙白の値は、p1となる。
【００４４】
・Ｃ（δ）とＣ（年代）を比較し、Ｃ（年代）−Ｃ（δ）（＞０）の値が大きいほど、読みやすいと判断し、Ｃ（年代）−Ｃ（δ）（＞０）の値がゼロに近づくほど、読み難いと判断する。Ｃ（年代）−Ｃ（δ）≦０であれば、更に読み難くなる。
【００４５】
次に、図１を参照すると、本発明によるカラー画像変換装置は、カラー画像入力部１０１、第１色変換部１０３、抽出部１０５、評価関数部１０７、判別部１０９、候補生成部１１１、選択部１１３、ユーザ操作入力部１１５、第２色変換部１１７、印刷部１１９及び表示部１３１を含む。
【００４６】
カラー画像入力部１０１は、外部からカラー画像データを入力する。このカラー画像データは、印刷装置による印刷のために調整される前のものである。
【００４７】
第１色変換部１０３は、カラー画像入力部１０１が入力したカラー画像データを印刷装置による印刷のために調整する。具体的には、入力したカラー画像データにより表される各部の各色のうちの少なくとも一部の色を、印刷装置による印刷に合わせて調整する。調整は、印刷されたカラー画像を視覚する視覚主体者の年代と、印刷装置の型式との双方に適合するように行われる。このために、第１色変換部１０３は、視覚主体者の年代と印刷装置の型式も入力する。視覚主体者の年代は、例えば、２０歳未満、２０歳代、３０歳代、・・・、７０歳以上というように表される。上述したように、加齢すると特に青色の光が見えにくくなるという一般的な視覚特性を考慮して、色変換を調整する。印刷装置の型式は、例えば、印刷装置のメーカとそのメーカにおける型式の組、又は、型式のみで印刷装置を特定できるのであれば、型式のみである。また、印刷装置の型式には、インキや用紙などの印刷材料の組合せも含む。印刷装置の型式により、同じカラー画像データを利用した場合であっても、印刷されたカラー画像の色合いが異なるため、それを補正するために、印刷装置の型式により色変換を調整する。第１色変換部１０３が、このように色変換をすることにより、視覚者の年代が異なっても、主観的には、同じ部分が近い色に見えるカラー画像を生成することが可能になる。また、印刷装置の型式が異なっても、同じ部分が近い色に見えるカラー画像を生成することが可能になる。
【００４８】
ここで、第１色変換部１０３により第１の色変換処理が施されたカラー画像データに基づいて、表示部１３１は、カラー画像の表示をしてもよい。ここで、表示部１３１は、例えば、液晶表示装置である。表示部１３１が第１の色変換処理が施されたカラー画像データに基づいて表示するカラー画像の色は、一般的には、印刷装置が印刷するカラー画像の色とは、異なったものとなるが、例えば、第１の色変換処理の前後を比較するために利用することができる。
【００４９】
しかし、第１色変換部１０３がこのような色変換を行っただけでは、カラー画像に含まれる文字列が読み難いままである場合がある。そこで、本実施形態では、カラー画像に含まれる文字列をできる限り読み易くするために、必要ならば、第１の色変換処理に追加して、第２の色変換処理を行う。
【００５０】
抽出部１０５は、第１色変換部１０３により第１の色変換処理が施されたカラー画像データにより表されるカラー画像に文字列を含む文字列領域が１つ以上あるならば、各々の文字列領域から、文字色、背景色及び文字サイズの組を抽出する。つまり、例えば、カラー画像に文字列領域がＮ個あるならば、（文字色＃１、背景色＃１、文字サイズ＃１）、（文字色＃２、背景色＃２、文字サイズ＃２）・・・（文字色＃Ｎ、背景色＃Ｎ、文字サイズ＃Ｎ）を抽出する。
【００５１】
評価関数部１０７は、上述した式（３）により表されるＣ（δ）と、上述した式（４）により表されるＣ（年代）を２種類の評価関数として、これらの値を求める。
【００５２】
第１種の評価関数Ｃ（δ）の値は、文字列に含まれる文字の読み易さを示す基準として用いられる。この第１種の評価関数Ｃ（δ）は、視覚主体者の年代と文字サイズに依存するものである。
【００５３】
図２には、第１種の評価関数Ｃ（δ）が示されている。第１種の評価関数Ｃ（δ）の縦軸Ｃ（年代）切片は、プラスであり、第１種の評価関数Ｃ（δ）は、文字サイズが大きくなるに従って、減少する。第１種の評価関数Ｃ（δ）を表す線の右上側の領域は、文字が読み易い領域である。右上に進むほど、文字が読み易くなる。図２に示すように、文字サイズＳＩＺＥを選択したならば、それに対応するＣ（δ）の値であるＶＡＬＵＥ以上に、Ｃ（年代）がなっている必要がある。文字サイズが小さくなるならば、それに対応するＣ(δ)が大きくなるから、必要なＣ（年代）もそれに応じて大きくなる。
【００５４】
第２種の評価関数Ｃ（年代）の値は、文字列領域における文字色と背景色との間の色差と視覚主体者の年代と印刷装置の特性に依存するものであり、１つのカラー画像に含まれる一般に複数ある文字列領域の各々に対して求められるものである。特に、第２種の評価関数Ｃ（年代）を表す式（４）で用いられる式（５）及び式（６）に含まれる係数は、視覚主体者の年代と印刷装置の特性に依存するものである。従って、文字色と背景色との間の色差が同一である同一文字列領域に対しても、視覚主体者及び印刷装置の特性のうちの少なくとも一方が異なるならば、第２種の評価関数Ｃ（年代）の値は、異なる。また、視覚主体者及び印刷装置の特性が共に同一であっても、文字色と背景色との間の色差が異なるならば、第２種の評価関数Ｃ（年代）の値が異なる。
【００５５】
判別部１０９は、例えば、或る文字列領域について、
Ｃ（年代）＞Ｃ（δ）
であれば、その文字列領域にある文字列は読み易いと判断し、そうでなければ、その文字列領域にある文字列は読み難いと判断する。
【００５６】
その代わりに、
Ｃ（年代）＞Ｃ（δ）＋マージン
であれば、その文字列領域にある文字列は読み易いと判断し、そうでなければ、その文字列領域にある文字列は読み難いと判断するようにしてもよい。
【００５７】
また、３つの閾値
ＴＨ１＞ＴＨ２＞ＴＨ３＝Ｃ（δ）
を設け、Ｃ（年代）が閾値で区切られるどの範囲にあるかによって、文字列の読み易さを多段階評価してもよい。例えば、Ｃ（年代）＞ＴＨ１ならば「優」、ＴＨ１＞Ｃ（年代）＞ＴＨ２ならば「良」、ＴＨ２＞Ｃ（年代）＞ＴＨ３ならば「可」、ＴＨ３＞Ｃ（年代）「不可」としてもよい。
【００５８】
更に、５つの閾値
ＴＨ１’＞ＴＨ２’＞ＴＨ３’＞ＴＨ４’＞ＴＨ５’＝Ｃ（δ）
を設け、Ｃ（年代）がどの閾値の間にあるかによって、文字列の読み易さを多段階評価してもよい。
【００５９】
候補生成部１１１は、判別部１０９が、読み難いと判断した個々の文字列領域に対して、第２色変換部１１７による第２の色変換処理の候補を生成する。
【００６０】
表示部１３１は、判別部１０９が、読み難いと判断した個々の文字列領域と、それらに対して、第２色変換部１１７が生成した第２の色変換処理の１以上の候補とを表示する。例えば、図３に示すように、第２の色変換処理の第１の変換候補乃至第３の変換候補は、第２の色変換処理後の第２種の評価関数の値Ｃ’（年代）が、現在（第２の色変換処理前）の評価関数の値Ｃ（年代）よりも大きくなるものである。
【００６１】
ユーザ操作入力部１１５は、表示部１３１が表示した第２の色変換処理の１以上の候補のうちの何れかの第２の色変換処理を選択するユーザ操作を受け付ける。図３の例でいえば、例えば、コンピュータ操作による第２の変換候補選択の操作を入力する。
【００６２】
選択部１１３は、ユーザによる操作により選択された第２の色変換処理を行わせるための指示を第２色変換部１１７に出力する。
【００６３】
第２色変換部１１７は、選択部１１３からの指示に従って、第２の色変換処理を行い、この結果を、変換後カラー画像データ１４１として出力する。この変換後カラー画像データ１４１は、例えば、ハードディスクドライブなどに記録される。また、表示部１３１は、カラー画像データ１４１の表示をしてもよい。
【００６４】
なお、第２色変換部１１７は、結果として、第２の色変換処理を施した後のカラー画像を得ることができさえすればよいので、入力カラー画像を、第１の色変換処理を施す前のものとしてもよいし、その後のものとしてもよい。但し、どちらを入力カラー画像とするかに依存して、第２の色変換処理の内容は異なったものとなる。第２の色変換処理を行う領域と、第２の色変換処理後の色を知っているのであれば、そのような領域の色を第２の色変換処理後の色として設定して、それにより、第１の色変換処理後のカラー画像の同一領域を変更すればよい。
【００６５】
印刷装置である印刷部１１９は、変換後カラー画像データ１４１に基づいて、印刷を行い、印刷物１４３を生成する。
【００６６】
次に、本発明の実施形態によるカラー画像変換装置により行われるカラー画像変換方法について、図４を参照して説明する。
【００６７】
まず、カラー画像入力部１０１は、カラー画像データを入力する（ステップＳ２０１）。
【００６８】
次に、第１色変換部１０３は、視覚主体者の年代を入力する（ステップＳ２０３）。
【００６９】
次に、第１色変換部１０３は、印刷装置の型式を入力する（ステップＳ２０５）。
【００７０】
次に、第１色変換部１０３は、ステップＳ２０３で入力した視覚主体者の年代とステップＳ２０５で入力した印刷装置の型式に基づいて、ステップＳ２０１で入力したカラー画像データに対して第１の色変換処理を行う（ステップＳ２０７）。
【００７１】
次に、表示部１３１は、ステップＳ２０７で第１の色変換処理を施されたカラー画像データに基づいてカラー画像を表示する（ステップＳ２０９）。
【００７２】
次に、抽出部１０５は、ステップＳ２０７で第１の色変換処理を施されたカラー画像データにより表されるカラー画像から各文字領域の文字色、背景色及び文字サイズの組を抽出する（ステップＳ２１１）。
【００７３】
次に、評価関数部１０７は、視覚主体者の年代と文字サイズに基づいて、第１種の評価関数の値を求める（ステップＳ２１３）。
【００７４】
次に、評価関数部１０７は、文字列領域における文字色と背景色との間の色差と視覚主体者の年代と印刷装置の特性に基づいて、第２種の評価関数の値を求める（ステップＳ２１５）。
【００７５】
次に、判別部１０９は、評価関数部１０７がステップＳ２１３、Ｓ２１５で求めた評価関数の値を基に、各文字領域の文字の読み易さを判別する（ステップＳ２１７）。
【００７６】
次に、候補生成部１１１は、文字が読み難いと判別部１０９が判断した文字領域に対応した第２の色変換処理の候補を生成する（ステップＳ２１９）。
【００７７】
次に、表示部１３１は、読み難い文字領域に対して生成された第２の色変換処理の候補を表示する（ステップＳ２２１）。
【００７８】
次に、ユーザ操作入力部１１５は、ユーザによる何れかの候補の選択を受け付ける（ステップＳ２２３）。
【００７９】
次に、選択部１１３を介して、第２色変換部１１７は、ユーザにより候補から選択された第２の色変換処理を行う（ステップＳ２２５）。
【００８０】
次に、変換後のカラー画像データを出力する（ステップＳ２２７）。
【００８１】
最後に、印刷部１１９は、ステップＳ２２７で出力されたカラー画像データに基づいて、カラー画像を印刷する（Ｓ２２９）。なお、第２の色変換処理（ステップＳ２２５）は、第１の色変換処理（ステップＳ２０７）前のデータを利用しても構わない。
【００８２】
［第２の実施の形態］
第１の実施の形態では、候補生成部１１１が第２の色変換処理の候補を生成して、ユーザが何れかの候補を選択することとしたが、その限りではない。
【００８３】
例えば、ユーザが、調整後の文字色と背景色を画面で確認しながら、任意の文字色と背景色を選択してもよい。この場合、ユーザが確認するために、変換前後の評価関数Ｃ（年代）を画面に表示してもよい。
【００８４】
第１の実施形態と同様に候補から選択し、それをユーザが調整できるようにしてもよい。
【００８５】
［第３の実施の形態］
第１の実施の形態及び第２の実施の形態では、色覚異常者の視覚特性を考慮していない。これに対して、第３の実施の形態では、色覚異常者の視覚特性を考慮する。
【００８６】
まず、色変換部１０１は、カラー画像データ、視覚主体者の年代、印刷装置型式に追加して、色覚異常者のみを視覚主体者とするか、色覚正常者に加えて色覚異常者も視覚主体者とするか又は色覚異常者を視覚主体者に含めないかを示す情報を入力する。
【００８７】
色変換部１０１は、上記の入力に応じて、第１の色変換処理を行う。色覚異常者を対象とした場合の色変換については、例えば、特許文献１に記載されている。
【００８８】
また、評価関数部１０１は、色覚異常者の視覚特性を考慮して、第１種の評価関数の値及び第２種の評価関数の値を求める。第１種の評価関数についていえば、例えば、式（３）にある係数Ａ、Ｂ、Ｄのうちの少なくとも１つを色覚異常者の視覚特性を考慮して修正してもよい。第２種の評価関数についていえば、例えば、式（５）、式（６）にある少なくとも一部の係数を色覚異常者の視覚特性を考慮して修正してもよい。
【実施例１】
【００８９】
第１の色変換処理と第２の色変換処理をもう少し具体的に説明する。
【００９０】
視覚主体者：６０代
印刷装置の型式：α
文字色（Ｃ，Ｍ，Ｙ，Ｋ）：第１の色（７０，０，１００，０）
背景色（Ｃ，Ｍ，Ｙ，Ｋ）：第２の色（０，４０，１００，０）
文字サイズ：９point
とした場合、第１の色変換処理を、視覚主体者６０代、印刷装置の型式αをパラメータとして下記の通り行う。
【００９１】
文字色：第１の色（７０，０，１００，０）→第３の色（４３，０，９３，０）
（第３の色は、第１の色と同一である場合もある。）
背景色：第２の色（０，４０，１００，０）→第４の色（０，３８，８１，０）
（第４の色は、第２の色と同一である場合もある。）
そして、視覚主体者６０代、文字サイズ9pointを用いて、第１種の評価関数Ｃ（δ）を求める。
【００９２】
Ｃ（δ）＝２４．０
更に、第３の色及び第４の色を用いて、第２種の評価関数Ｃ（年代）を求める。
【００９３】
Ｃ（年代）＝２．３
Ｃ（年代）＜Ｃ（δ）となり、第３の色と第４の色の組合せは非常に読み難いと判断される。そのため、第２の色変換処理を下記の通り行う。
【００９４】
文字色：第３の色（４３，０，９３，０）→第５の色（１００，０，１００，０）
背景色：第４の色（０，３８，８１，０）→第６の色（０，０，２０，０）
第５の色及び第６の色での第２種の評価関数Ｃ’（年代）は５０．２であり、読み易いと判断されるＣ’（年代）＞Ｃ（δ）を満たすものである。
【００９５】
また、第２の色変換処理は、第１の変換前のデータを利用し下記の通りであってもよい。
【００９６】
文字色：第１の色（７０，０，１００，０）→第５の色（１００，０，１００，０）
背景色：第２の色（０，４０，１００，０）→第６の色（０，０，２０，０）  ここで、読み易さを改善できる限りにおいては、第５の色は、第１の色又は第３の色と同一であってもよいし、第６の色は、第２の色又は第４の色と同一であってもよい。
【実施例２】
【００９７】
複数の文字列領域において、背景色が共通となるように、第２の色変換処理をしてもよい。単純な例としては、背景色を変更せずに、文字色のみを変更するような第２の色変換処理をしてもよい。
【実施例３】
【００９８】
複数の文字列領域の境界において、背景色が不自然に変わってしまうことがないように、第１の文字列領域と第２の文字列領域との間において、第１の文字列領域の背景色１が第２の文字列領域の背景色２に連続的に変化するようにしてもよい。
【００９９】
なお、上記のカラー画像変換装置は、ハードウェア、ソフトウェア又はこれらの組合わせにより実現することができる。また、上記のカラー画像変換装置により行なわれるカラー画像変換方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１００】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１０１】
本発明は、カラー画像変換のために利用することができる。特に、印刷装置による印刷を想定して、カラー画像変換のために利用することができるが、他の用途を想定して、カラー画像変換のために利用することもできる。
【符号の説明】
【０１０２】
１０１  カラー画像入力部
１０３  第１色変換部
１０５  抽出部
１０７  評価関数部
１０９  判別部
１１１  候補生成部
１１３  選択部
１１５  ユーザ操作入力部
１１７  第２色変換部
１１９  印刷部
１３１  表示部
【図１】
2017028395.tif 000009
【図４】
2017028395.tif 000010
【図２】
2017028395.tif 000011
【図３】
2017028395.tif 000012